(57)【要約】【課題】  ノイズレベル以下の入力信号のＣＮ推定を行うことを可能とし、受信アンテナの方向調整を行うことが可能なＦＰＵ送受信装置を提供する。【解決手段】  空中線から入力された信号は、周波数変化部２１にて中間周波数に変換され、直交復調部２２にてベースバンドに変換される。ベースバンドに変換された信号は、ＦＦＴ部２３にてＦＦＴ処理された後、パイロット復調部２４にて演算されたパイロット信号によって復調部２５にて復調処理される。復調誤差計算部２６は、入力される復調データを平均化処理して固定パターンを判定し、送信機１の特定を行うとともに、復調誤差の計算を行う。方向調整補助信号計算部２７は、入力レベル検出部２８で検出された受信機２の入力レベルと復調誤差とを基に、受信アンテナ２０の方向調整のための補助信号を計算する。【選択図】      図１
2008271452.tif 000002
【特許請求の範囲】
【請求項１】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置に用いる受信アンテナ方向調整方法であって、
前記ＦＰＵ送受信装置の受信側において、受信コンスタレーションから受信ＣＮ（Ｃａｒｒｉｅｒ  ｔｏ  Ｎｏｉｓｅ  ｒａｔｉｏ）を推定する処理と、その推定結果を基に受信アンテナの方向調整を行うための補助信号を出力する処理とを実行することを特徴とする受信アンテナ方向調整方法。
【請求項２】
前記ＦＰＵ送受信装置の受信側において、送信側から送信されてきた予め定められたパターンのシンボルを基に前記送信側の判別を行う処理を実行することを特徴とする請求項１記載の受信アンテナ方向調整方法。
【請求項３】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置に用いる受信アンテナ方向調整方法であって、
前記ＦＰＵ送受信装置の受信側において、入力された信号の入力レベルを検出する入力レベル検出処理と、前記入力された信号からパイロット信号を復調するパイロット信号復調処理と、その復調されたパイロット信号を基に前記入力された信号を復調する復調処理と、この復調処理された復調データに対して平均化処理を行って送信側固有のパターンを判定して送信側を特定する送信側特定処理と、その判定結果を基に理想の復調点に対する復調誤差を計算する復調誤差計算処理と、前記入力レベル検出処理にて検出された入力レベルと前記復調誤差計算処理にて計算された復調誤差とを基に受信アンテナの方向調整のための補助信号を計算する方向調整補助信号計算処理とを実行することを特徴とする受信アンテナ方向調整方法。
【請求項４】
前記ＦＰＵ送受信装置の送信側において、送信するデータを伝送路符号化する符号化処理と、この伝送路符号化されたデータとパイロット信号発生器にて発生されたパイロット信号と固定発生パターン発生器にて発生された送信側固有のパターンとを多重して送信する送信処理とを実行し、
前記送信側特定処理において、前記復調データに対してＯＦＤＭシンボル単位の平均化処理を行い、その平均化処理結果に基づいて前記パターンの判定を行うことを特徴とする請求項３記載の受信アンテナ方向調整方法。
【請求項５】
前記ＦＰＵ送受信装置の受信側において、前記送信側特定処理の判定結果を基に前記パターンの発生を行うパターン発生処理と、前記復調データと前記パターン発生処理にて発生したパターンとを基に座標変換を行って受信コンスタレーションを一点に集約する座標変換処理と、その受信コンスタレーションを基に理想の復調点に対する誤差ベクトルを算出して前記入力された信号のＣＮ（Ｃａｒｒｉｅｒ  ｔｏ  Ｎｏｉｓｅ  ｒａｔｉｏ）を推定する処理とを実行することを特徴とする請求項４記載の受信アンテナ方向調整方法。
【請求項６】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置であって、
受信側において、受信コンスタレーションから受信ＣＮ（Ｃａｒｒｉｅｒ  ｔｏ  Ｎｏｉｓｅ  ｒａｔｉｏ）を推定する手段と、その推定結果を基に受信アンテナの方向調整を行うための補助信号を出力する手段とを有することを特徴とするＦＰＵ送受信装置。
【請求項７】
前記受信側において、送信側から送信されてきた予め定められたパターンのシンボルを基に前記送信側の判別を行う手段を含むことを特徴とする請求項６記載のＦＰＵ送受信装置。
【請求項８】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置であって、
受信側において、入力された信号の入力レベルを検出する入力レベル検出手段と、前記入力された信号からパイロット信号を復調するパイロット信号復調手段と、その復調されたパイロット信号を基に前記入力された信号を復調する復調手段と、この復調処理された復調データに対して平均化処理を行って送信側固有のパターンを判定して送信側を特定する送信側特定手段と、その判定結果を基に理想の復調点に対する復調誤差を計算する復調誤差計算手段と、前記入力レベル検出手段にて検出された入力レベルと前記復調誤差計算手段にて計算された復調誤差とを基に受信アンテナの方向調整のための補助信号を計算する方向調整補助信号計算手段とを有することを特徴とするＦＰＵ送受信装置。
【請求項９】
送信側において、送信するデータを伝送路符号化する符号化手段と、この伝送路符号化されたデータとパイロット信号発生器にて発生されたパイロット信号と固定発生パターン発生器にて発生された送信側固有のパターンとを多重して送信する送信手段とを含み、
前記送信側特定手段は、前記復調データに対してＯＦＤＭシンボル単位の平均化処理を行い、その平均化処理結果に基づいて前記パターンの判定を行うことを特徴とする請求項８記載のＦＰＵ送受信装置。
【請求項１０】
前記受信側において、前記送信側特定手段の判定結果を基に前記パターンの発生を行うパターン発生手段と、前記復調データと前記パターン発生手段にて発生したパターンとを基に座標変換を行って受信コンスタレーションを一点に集約する座標変換手段と、その受信コンスタレーションを基に理想の復調点に対する誤差ベクトルを算出して前記入力された信号のＣＮ（Ｃａｒｒｉｅｒ  ｔｏ  Ｎｏｉｓｅ  ｒａｔｉｏ）を推定する手段とを含むことを特徴とする請求項９記載のＦＰＵ送受信装置。
【発明の詳細な説明】
【技術分野】
【０００１】
本発明は受信アンテナ方向調整方法及びそれを用いるＦＰＵ送受信装置に関し、特にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重変調）方式を用いる送受信装置における受信アンテナの方向調整方法に関する。
【背景技術】
【０００２】
上記のＯＦＤＭ方式は、中継現場の映像を放送局まで無線伝送するＦＰＵ（Ｆｉｅｌｄ  Ｐｉｃｋ−ｕｐ  Ｕｎｉｔ）送受信装置の伝送方式として採用され、固定無線中継や移動無線中継に使用されている。
【０００３】
従来の受信アンテナの方向調整方法では、受信側の検波器により受信電界レベルを検出し、受信電界レベルが最大になる方向を探索してアンテナの方向を調整する方法がとられている。
【０００４】
しかしながら、受信電界レベルが低くなると、受信信号が雑音に埋もれてしまい、精度のよい検出が困難である。つまり、受信アンテナの方向調整の初期段階では、受信電界レベルが非常に低いため、受信信号がわずかでも到達していたとしても、雑音に埋もれた受信信号を捕らえることができず、手探りで方向調整を行わざるを得ない（例えば、特許文献１参照）。
【０００５】
一方、放送局の素材伝送においては、ディジタル方式が採用されたため、受信機のノイズレベル近くの電界での運用が可能となっている。受信アンテナの方向調整後にノイズレベルより数ｄＢ高いくらいのレベルしか入力されないような回線の場合には、運用開始における初期補足時に、受信信号が受信機のノイズレベル以下であることが想定される。
【０００６】
【特許文献１】特開２００６−０８６８５５号公報
【発明の開示】
【発明が解決しようとする課題】
【０００７】
したがって、従来の受信アンテナの方向調整方法では、電界追尾の方法の場合、受信信号のノイズレベル以下の領域での変化を表現することができないため、受信アンテナの方向調整を行うことができないという問題がある。
【０００８】
そこで、本発明の目的は上記の問題点を解消し、ノイズレベル以下の入力信号のＣＮ（Ｃａｒｒｉｅｒ  ｔｏ  Ｎｏｉｓｅ  ｒａｔｉｏ）推定を行うことができ、受信アンテナの方向調整を行うことができる受信アンテナ方向調整方法及びそれを用いるＦＰＵ送受信装置を提供することにある。
【課題を解決するための手段】
【０００９】
本発明による受信アンテナ方向調整方法は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置に用いる受信アンテナ方向調整方法であって、
前記ＦＰＵ送受信装置の受信側において、受信コンスタレーションから受信ＣＮ（Ｃａｒｒｉｅｒ  ｔｏ  Ｎｏｉｓｅ  ｒａｔｉｏ）を推定する処理と、その推定結果を基に受信アンテナの方向調整を行うための補助信号を出力する処理とを実行している。
【００１０】
本発明による他の受信アンテナ方向調整方法は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置に用いる受信アンテナ方向調整方法であって、
前記ＦＰＵ送受信装置の受信側において、入力された信号の入力レベルを検出する入力レベル検出処理と、前記入力された信号からパイロット信号を復調するパイロット信号復調処理と、その復調されたパイロット信号を基に前記入力された信号を復調する復調処理と、この復調処理された復調データに対して平均化処理を行って送信側固有のパターンを判定して送信側を特定する送信側特定処理と、その判定結果を基に理想の復調点に対する復調誤差を計算する復調誤差計算処理と、前記入力レベル検出処理にて検出された入力レベルと前記復調誤差計算処理にて計算された復調誤差とを基に受信アンテナの方向調整のための補助信号を計算する方向調整補助信号計算処理とを実行している。
【００１１】
本発明によるＦＰＵ送受信装置は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置であって、
受信側において、受信コンスタレーションから受信ＣＮ（Ｃａｒｒｉｅｒ  ｔｏ  Ｎｏｉｓｅ  ｒａｔｉｏ）を推定する手段と、その推定結果を基に受信アンテナの方向調整を行うための補助信号を出力する手段とを備えている。
【００１２】
本発明による他のＦＰＵ送受信装置は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式のＦＰＵ（Ｆｉｅｌｄ  Ｐｉｃｋ−ｕｐ  Ｕｎｉｔ）送受信装置であって、
受信側において、入力された信号の入力レベルを検出する入力レベル検出手段と、前記入力された信号からパイロット信号を復調するパイロット信号復調手段と、その復調されたパイロット信号を基に前記入力された信号を復調する復調手段と、この復調処理された復調データに対して平均化処理を行って送信側固有のパターンを判定して送信側を特定する送信側特定手段と、その判定結果を基に理想の復調点に対する復調誤差を計算する復調誤差計算手段と、前記入力レベル検出手段にて検出された入力レベルと前記復調誤差計算手段にて計算された復調誤差とを基に受信アンテナの方向調整のための補助信号を計算する方向調整補助信号計算手段とを備えている。
【００１３】
すなわち、本発明の受信アンテナ方向調整方法は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重変調）方式のＦＰＵ（Ｆｉｅｌｄ  Ｐｉｃｋ−ｕｐ  Ｕｎｉｔ）送受信装置において、受信コンスタレーションから受信ＣＮ（Ｃａｒｒｉｅｒ  ｔｏ  Ｎｏｉｓｅ  ｒａｔｉｏ）を推定することによって、受信電力が受信機のノイズレベル以下のような低電界における受信アンテナの方向調整を行うための補助信号を出力することを特徴としている。
【００１４】
また、本発明の受信アンテナ方向調整方法は、ＯＦＤＭ方式のＦＰＵ送受信装置において、送信側で予め定められたパターンのシンボルを送信することによって、受信側にてそのパターンを基に送信機の判別を行うことを特徴としている。
【００１５】
より具体的に説明すると、本発明の受信アンテナ方向調整方法では、ＯＦＤＭ方式のＦＰＵ送受信装置において、送信側で、伝送路符号化されたデータと、パイロット信号発生器で発生したパイロット信号と、固定発生パターン発生器にて発生された各送信側固有のパターンとを多重して空中線に送信する。
【００１６】
本発明の受信アンテナ方向調整方法では、受信側で、空中線から入力された信号を、パイロット復調部にて演算したパイロット信号によって、復調部にて復調処理する。復調部にて復調処理された復調データは、復調誤差計算部にて平均化処理されて送信側固有のパターンが判定され、送信側の特定が行われるとともに、復調誤差の計算が行われる。受信側では、入力レベル検出部で検出された受信側の入力レベルと復調誤差計算部にて計算された復調誤差とを基に、方向調整補助信号計算部にて受信アンテナの方向調整のための補助信号が計算される。
【００１７】
復調誤差計算部では、復調部にて復調処理された復調データを、平均化部にてＯＦＤＭシンボル単位の平均化処理を行い、固定パターン判定部にて送信側固有のパターンの判定を行う。これによって、本発明の受信アンテナ方向調整方法では、送信側から送信側固有のパターンのシンボルが伝送されていることを利用し、シンボル単位の平均化処理を行うことによって、ＣＮ（Ｃａｒｒｉｅｒ  ｔｏ  Ｎｏｉｓｅ  ｒａｔｉｏ）が０ｄＢ以下の状態でも送信側固有のパターンの抽出を行うことが可能となる。
【００１８】
また、復調誤差計算部では、固定パターン発生部にて、固定パターン判定部の判定結果を基に送信側固有のパターンの発生を行い、座標変換部にて、復調部にて復調処理された復調データと、固定パターン発生部で発生した送信側固有のパターンとを基に座標変換を行い、受信コンスタレーションを一点に集約する。さらに、復調誤差計算部では、復調誤差算出部にて、理想の復調点から誤差ベクトルを算出し、受信側の入力信号のＣＮを推定する。これによって、本発明の受信アンテナ方向調整方法では、座標変換部にて受信コンスタレーションを１点に集約することによって、０ｄＢ以下のようなＣＮも算出することが可能となる。
【００１９】
一方、本発明の受信アンテナ方向調整方法では、送信側で予め定められたシンボルを送信しなくても、パイロット復調部にて復調されるパイロット信号の復調誤差を計算することによって、映像伝送を行いながら、ノイズレベル以下のＣＮ推定が可能となる。
【００２０】
上記のように、本発明の受信アンテナ方向調整方法では、ノイズレベル以下の入力信号のＣＮ推定を行うことが可能となり、ノイズレベル以下の入力信号でも送信側の判別を行うことが可能となる。
【発明の効果】
【００２１】
本発明は、上記のような構成及び動作とすることで、ノイズレベル以下の入力信号のＣＮ推定を行うことができ、受信アンテナの方向調整を行うことができるという効果が得られる。
【発明を実施するための最良の形態】
【００２２】
次に、本発明の実施例について図面を参照して説明する。図１は本発明の一実施例によるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重変調）方式のＦＰＵ（Ｆｉｅｌｄ  Ｐｉｃｋ−ｕｐ  Ｕｎｉｔ）送受信装置による通信例を示すブロック図である。図１において、本発明の一実施例によるＦＰＵ送受信装置Ａ，Ｂは、送信機１ａ，１ｂと、受信機２ａ，２ｂとからそれぞれ構成されている。
【００２３】
尚、図１では送信機１ａ，１ｂ及び受信機２ａ，２ｂを備えたＦＰＵ送受信装置Ａ，Ｂ間の通信について示しているが、一方が送信機のみ、あるいは受信機のみの場合も後述する処理が可能であり、これに限定されない。また、送信機１ａ，１ｂはそれぞれ同様の構成及び動作となっており、受信機２ａ，２ｂもそれぞれ同様の構成及び動作となっている。以下の説明では、送信機１ａから受信機２ｂへの通信について、それぞれ送信機１、受信機２として説明する。
【００２４】
図２は本発明の一実施例によるＦＰＵ送受信装置の送信機の構成例を示すブロック図である。図２において、送信機１は、送信アンテナ１０と、伝送路符号化部１１と、パイロット信号発生器１２と、固定パターン発生器１３と、フレーミング部１４と、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）部１５と、直交変調部１６と、周波数変換部１７とから構成されている。
【００２５】
図３は本発明の一実施例によるＦＰＵ送受信装置の受信機の構成例を示すブロック図である。図３において、受信機２は、受信アンテナ２０と、周波数変換部２１と、直交復調部２２と、ＦＦＴ（Ｆａｓｔ  Ｆｏｕｒｉｅｒ  Ｔｒａｎｓｆｏｒｍ：高速フーリエ変換）部２３と、パイロット復調部２４と、復調部２５と、復調誤差計算部２６と、方向調整補助信号計算部２７と、入力レベル検出部２８とから構成されている。
【００２６】
これら図１〜図３を参照して本発明の一実施例によるＦＰＵ送受信装置の回路動作について説明する。まず、図２を参照して送信機１の回路動作について説明する。
【００２７】
伝送路符号化部１１では、誤り訂正等の処理が行われる。フレーミング部１４は、伝送路符号化されたデータと、パイロット信号発生器１２で発生したパイロット信号と、固定発生パターン発生器１３にて発生された各送信機固有のパターンとを多重する。
【００２８】
フレーミング部１４によるフレーミング後のデータは、ＩＦＦＴ部１５にてＩＦＦＴ処理が行われた後、直交変調部１６にて直交変調されて中間周波数に変換され、周波数変換部１７にてＲＦ（Ｒａｄｉｏ  Ｆｒｅｑｕｅｎｃｙ）周波数に変換された後に、空中線に送信される。
【００２９】
次に、図３を参照して受信機２の回路動作について説明する。空中線から入力された信号は、周波数変化部２１にて中間周波数に変換され、直交復調部２２にてベースバンドに変換される。また、パイロット復調部２４は入力された信号からパイロット信号を復調する。直交復調部２２にてベースバンドに変換された信号は、ＦＦＴ部２３にてＦＦＴ処理された後、パイロット復調部２４にて復調されたパイロット信号によって復調部２５にて復調処理される。
【００３０】
復調誤差計算部２６では、復調部２５から入力される復調データを平均化処理して送信機固有のパターンを判定し、送信機１の特定を行うとともに、理想の復調点に対する復調誤差の計算を行う。方向調整補助信号計算部２７では、入力レベル検出部２８で検出された受信機２の入力レベルと復調誤差計算部２６で計算された復調誤差とを基に、受信アンテナ２０の方向調整のための補助信号を計算する。
【００３１】
図４は図３の復調誤差計算部２６の構成例を示すブロック図であり、図５は図４の復調誤差計算部２６の動作を示すフローチャートであり、図６は図４の座標変換部２６４の入出力信号を示す図である。これら図１〜図６を参照して復調誤差計算部２６の動作について説明する。
【００３２】
図４において、復調誤差計算部２６は、平均化部２６１と、固定パターン判定部２６２と、固定パターン発生部２６３と、座標変換部２６４と、復調誤差算出部２６５とから構成されている。
【００３３】
復調部２５から入力される復調データは、平均化部２６１にてＯＦＤＭシンボル単位の平均化処理が行われ（図５ステップＳ１）、固定パターン判定部２６２にて送信機固有のパターンの判定が行われる（図５ステップＳ２）。
【００３４】
本実施例では、送信機１側から送信機固有のパターンのシンボルが伝送されていることを利用し、シンボル単位の平均化処理を行うことによって、ＣＮ（Ｃａｒｒｉｅｒ  ｔｏ  Ｎｏｉｓｅ  ｒａｔｉｏ）が０ｄＢ以下の状態でも送信機固有のパターンの抽出を行うことが可能となる。
【００３５】
この場合、送信機固有のパターンは、シンボル周期の固定パターンとなっているので、１シンボル遅延した信号との平均化処理が可能となる。平均化処理の時間を長くすれば長くするほど、ノイズ成分は平均化されて、その値が０に近付くため、正しい信号成分の抽出が可能となり、ＣＮが０ｄＢ以下においても同期をとることが可能となる。
【００３６】
固定パターン発生部２６３では、固定パターン判定部２６２の判定結果（送信機１の特定結果）を基に送信機固有のパターンの発生を行う（図５ステップＳ３）。座標変換部２６４では、復調部２５から入力される復調データと、固定パターン発生部２６３で発生した送信機固有のパターンとを基に座標変換を行い、図６に示すように、受信コンスタレーションを一点に集約する（図５ステップＳ４）。
【００３７】
ここで、受信信号の波形を時間軸上で重ねたものがアイパターンであるが、オシロスコープの横軸にＰＳＫ（Ｐｈａｓｅ  Ｓｈｉｆｔ  Ｋｅｙｉｎｇ）信号のＩ信号、縦軸にＱ信号を加え、シンボル判定点でのレベル変動の蓄積を表示すると、ある特定の部分に信号が集まって表示される（図６参照）。このように表示されるものがコンスタレーションと呼ばれている。
【００３８】
復調誤差算出部２６５では、理想の復調点から誤差ベクトルを算出し（この場合、図６の右側の理想点とだけ誤差ベクトルを算出）、受信機２の入力信号のＣＮを推定する（図５ステップＳ５）。上記の誤差ベクトルの大きさに比例してノイズレベルも増加するので、誤差ベクトルの大きさとＣＮ値とは１：１の関係にある。よって、復調誤差算出部２６５では、誤差ベクトルの大きさに基づいて受信機２の入力信号のＣＮを推定する。
【００３９】
上記のように、本実施例では、座標変換部２６４にて受信コンスタレーションを１点に集約することによって、０ｄＢ以下のようなＣＮも算出することが可能となる。
【００４０】
また、送信機１で予め定められた送信機固有のパターンのシンボルを送信しなくても、パイロット復調部２４にて復調されるパイロット信号の復調誤差を計算することによって、映像伝送を行いながら、ノイズレベル以下のＣＮ推定が可能となる。
【００４１】
このように、本実施例では、座標変換部２６４にて座標変換を行うことで、より正しい誤差ベクトルの算出を行うことができるので、ノイズレベル以下の入力信号のＣＮ推定を行うことができるという効果が得られる。
【００４２】
また、本実施例では、平均化部２６１にてＯＦＤＭシンボル単位の平均化処理を行うことで、送信機１から伝送される送信機固有のパターンの復調をノイズレベル以下の入力信号でも行うことができるため、ノイズレベル以下の入力信号でも送信機１の判別を行うことができるという効果が得られる。
【図面の簡単な説明】
【００４３】
【図１】本発明の一実施例によるＯＦＤＭ方式のＦＰＵ送受信装置の通信例を示すブロック図である。
【図２】本発明の一実施例によるＦＰＵ送受信装置の送信機の構成例を示すブロック図である。
【図３】本発明の一実施例によるＦＰＵ送受信装置の受信機の構成例を示すブロック図である。
【図４】図３の復調誤差計算部の構成例を示すブロック図である。
【図５】図４の復調誤差計算部の動作を示すフローチャートである。
【図６】図４の座標変換部の入出力信号を示す図である。
【符号の説明】
【００４４】
１，１ａ，１ｂ  送信機
２，２ａ，２ｂ  受信機
１０  送信アンテナ
１１  伝送路符号化部
１２  パイロット信号発生器
１３  固定パターン発生器
１４  フレーミング部
１５  ＩＦＦＴ部
１６  直行変調部
１７  周波数変換部
２１  周波数変換部
２２  直交復調部
２３  ＦＦＴ部
２４  パイロット復調部
２５  復調部
２６  復調誤差計算部
２７  方向調整信号計算部
２８  入力レベル検出部
２６１  平均化部
２６２  固定パターン判定部
２６３  固定パターン発生部
２６４  座標変換部
２６５  復調誤差算出部
Ａ，Ｂ  ＯＦＤＭ方式のＦＰＵ送受信装置
【図１】
2008271452.tif 000003
【図２】
2008271452.tif 000004
【図３】
2008271452.tif 000005
【図４】
2008271452.tif 000006
【図５】
2008271452.tif 000007
【図６】
2008271452.tif 000008